(57)【要約】【課題】  一種類の電熱マットで複数の敷設形態に対応できる。【解決手段】  二つのマット状の不織布（基材）１１と、これら各不織布１１の面上に設けられる電気ヒーター線（発熱手段）１２と、不織布１１および電気ヒーター線１２の上に当接して設けられ電気ヒーター線１２で発生する熱を分散させる積層体（熱分散手段）１４と、電気ヒーター線１２に電力を供給する端子となる端子パネル９ａ、９ｂとを備え、二つの不織布１１は、端子パネル９ａ、９ｂに固定される接続金具の回動支軸２２によって回動可能に連結され、さらに、積層体１４の表面に設けられる複数の小根太１５を備え、電気ヒーター線１２は不織布１１の面上に蛇行状に設けられ、小根太１５は電気ヒーター線１２と重ならないように配置される。【選択図】              図１
2005300104.tif 000002
【特許請求の範囲】
【請求項１】
複数のマット状の基材と、これら各基材に設けられ電気的に発熱可能な発熱手段と、該発熱手段を含む各基材の上に当接して設けられ前記発熱手段で発生する熱を分散させる熱分散手段と、前記各基材に設けられ前記発熱手段に電力を供給する端子となる端子パネルとを備え、前記複数の基材は、隣同士に位置する基材が互いに水平面内で相対的に回動可能にする回動手段によって連結されてなる電熱マット。
【請求項２】
前記熱分散手段の表面に設けられる複数の小根太を備え、前記発熱手段は前記基材の面上に蛇行状に設けられ、前記小根太は前記発熱手段と重ならないように配置されてなる請求項１に記載の電熱マット。
【発明の詳細な説明】
【技術分野】
【０００１】
本発明は、床板を加熱することにより床板上の空間を暖房する床暖房用の電熱マットに関する。
【背景技術】
【０００２】
従来の電熱マットとしては、下記特許文献１に記載されるように、柔軟性を有する基材の上に積層されたヒーターシートおよびこのヒーターシートの上に積層された小根太とを有するものが知られている。
【０００３】
この電熱マットを部屋に設置して床暖房をする場合、部屋の下地板上で加熱したい場所に、この電熱マットを配置し、小根太の位置でビスによりこの電熱マットを下地板に固定する。電熱マットは部屋の床の大きさよりも小さいものとされ、電熱マットを下地板の上に配置したときに、電熱マットの縁と部屋の壁との間に電熱マットが敷設されない部分が残る。この部分に電熱マットと略同厚の合板などの周辺パネルを設けるようにする。さらに、これら電熱マットおよび周辺パネルの上に床板を敷設することにより床暖房装置が施工される。
【特許文献１】特開２００３−１６６７２０号公報
【発明の開示】
【発明が解決しようとする課題】
【０００４】
上記従来の電熱マットによれば、一般的な住宅の部屋の大きさに対応して予め電熱マットの寸法が設定される。部屋の大きさを考慮し、これに対応する電熱マットを使用し、部屋に電熱マットを敷設し、その周辺に周辺パネルを設け、床板を敷設することにより床暖房装置を施工することができる。
【０００５】
しかしながら、上記電熱マットは、部屋の床の大きさに対応させて設定されるので、その大きさと形状以外の場所あるいは方向に施工しようとすると、部屋の大きさ（寸法）と電熱マットの大きさ（寸法）との関係で、電熱マットの敷設方向および敷設位置に制限が生ずることとなる。さらに、住宅の廊下のように細長い箇所には、部屋の大きさに対応した電熱マットを敷設することはできないため、部屋用とは別に廊下用の細長状の電熱マットを準備する必要が生じる。
【０００６】
本発明の目的は、一種類の電熱マットで複数の敷設形態に対応できる電熱マットを提供することである。
【課題を解決するための手段】
【０００７】
上記目的を達成するため、本発明は、複数のマット状の基材と、これら各基材に設けられ電気的に発熱可能な発熱手段と、該発熱手段を含む各基材の上に当接して設けられ前記発熱手段で発生する熱を分散させる熱分散手段と、前記各基材に設けられ前記発熱手段に電力を供給する端子となる端子パネルとを備え、前記複数の基材は、隣同士に位置する基材が互いに水平面内で相対的に回動可能にする回動手段によって連結されてなることを特徴とする。
【０００８】
このようにすることにより、電熱マットは複数に分割されており、隣同士に位置する電熱マット（または基材）は、互いに水平面内で相対的に回動可能であるので、たとえば１８０度回転させ、隣同士に位置する電熱マットを同一方向に隣接するように位置させることができる。また、水平面内で９０度回転させ、隣同士に位置する電熱マットを直交するように位置させることができる。このように、施工する場所の大きさ、形状に応じて複数種類の敷設形態が可能となる。
【０００９】
また、電熱マットが二つに分割され、それぞれの電熱マット（または基材）が矩形状であり、それぞれの電熱マットの一つの角隅に端子パネルを設け、この端子パネルとこれに延在する長辺が隣接するように位置させることができる。この場合、二つの回動支軸を有する回動手段を使用し、各回動支軸を各端子パネルに回動可能に固定する。
【００１０】
この回動手段により端子パネル同士を連結すれば、回動支軸を中心に二つの電熱マットを水平面内で相対的に１８０度回転させ、二つの電熱マットの各々の短辺が隣接する状態にすることができる。あるいは平面内で相対的に９０度回転させ、二つの電熱マットの長辺の延長線が直交する状態にすることができる。このように施工する場所に応じて複数種類の敷設形態が可能となる。
【００１１】
さらに、前記熱分散手段の表面に設けられる複数の小根太を備え、前記発熱手段は前記基材の面上に蛇行状に設けられ、前記小根太は前記発熱手段と重ならないように配置されると良い。
【００１２】
このような構成とすることにより、小根太は熱分散手段の上に設けられるので暖房床板を張る際に暖房床板の先端を小根太の上に位置させるように設けることができる。こうすると暖房床板を釘や木ねじなどで固定する際に固定する位置が明確に分かり、かつ釘や木ねじで電気ヒーター線などの発熱手段を損傷させることもない。さらに、暖房床板の継目は小根太の上に位置するように張られるので、暖房床板の継目部分が撓んだり、跳ね上がるなどの変形をすることがなく、不陸のない床面を与えることができる。
【００１３】
なお、発熱手段を含む基材の上に設ける小根太を格子状に設けることもできる。こうすると、隣同士の基材が９０度の位置関係にある場合でも、同一方向に揃う小根太があるので、暖房床板の長手方向の先端を小根太の上に位置させることができ、暖房床板を張ることができる。
【００１４】
また、小根太を格子状に設けることにより、電熱マットの表裏を裏返して使用することもできる。たとえば、隣同士の電熱マットが９０度の位置関係にある場合でも小根太を格子状に設けることにより、電熱マットの表裏を裏返したときに同一方向に揃う小根太があるので、暖房床板の長手方向の先端を小根太の上に位置させることができ、暖房床板を張ることができる。
【００１５】
さらに、発熱手段は蛇行状に設けられるので、発熱手段の発生熱は蛇行状に発生する。熱分散手段は発熱手段に密着し、かつ熱分散手段は熱伝導性に優れるので、発熱手段で発生した熱は熱分散手段により広がり暖房床板に対して均一に効率的に伝熱される。
【００１６】
次に本発明を構成する各要件についてさらに詳しく説明する。本発明の電熱マットは、電気エネルギーを利用して暖房床板を加熱し、この暖房床板の上部空間を暖房するものである。基材は、弾力性と圧縮性を有し、ある程度の耐熱性を有するマット状の材料から形成され、不織布、網状シート、紙、孔あきシートなどを使用すると良い。
【００１７】
発熱手段は、電気ヒーター線または面状発熱体などを使用しても良い。発熱手段として電気ヒーター線を使用する場合、電気ヒーター線の近傍に感熱線（センサー線）を沿わせて設けると良い。感熱線を設けることにより暖房床板の温度を制御するとともに過熱を防止する。
【００１８】
熱分散手段は、電気ヒーター線などの発熱手段を含む基材の全面に設けられると良く、発熱手段で発生した熱を分散する。熱分散手段としては、スパンボンドなどの不織布、ある程度の耐熱性を有する網、紙などに熱伝導性および可撓性を有する金属薄板や金属箔、たとえば銅箔やアルミ箔などを貼着するか、挟んで積層構造としたシート状物で、多少の圧縮性がある。
【００１９】
発熱手段を基材に貼着する場合の接着剤、あるいは熱分散手段を基材に貼着する場合の接着剤や熱分散手段自体における金属薄板や金属箔を二つのシートの間またはシートの表面に貼着する接着剤（合成樹脂）としては、たとえば酢酸ビニル系、酢酸ビニル・アクリル系、エチレン・酢酸ビニル系、アクリル・エチレン系、ウレタン系などを使用すると良い。
【００２０】
端子パネルは、発熱手段と電熱マット外部の電気配線とを接続するために設けられる。端子パネルは基材の形状が矩形状である場合、その角隅に設けられると良い。さらに、隣同士の端子パネルを回動させるに可能な回動手段により接続すると良い。回動手段としては、公知のヒンジ、蝶番および折り曲げ可能な弾性部材等の接続金具を使用することができる。
【００２１】
小根太は、暖房床板にかかる荷重を床下地材に伝えるもので、発熱手段と重ならない位置に熱分散手段の上に固定されるが、その形状は特に限定されない。一般的には細長状または短冊状の板、あるいは棒状の材料を利用する。
【００２２】
小根太の材質は、合板、木質板、木質繊維板（ＭＤＦなど）、木削片板、単板積層板などの木質系をはじめ合成樹脂系、鉄、銅、アルミニウム合金などの金属系板、形材などでも使用できる。
【発明の効果】
【００２３】
本発明によれば、電熱パネルは複数に分割され、端子パネル同士の間に設けられる回動手段により回動させて、施工する場所に合った形状にすることができ、一種類の電熱マットで複数の敷設形態に対応できる。
【発明を実施するための最良の形態】
【００２４】
以下、本発明に係る電熱マットの実施例を図面に基づいて詳細に説明する。なお、図１〜１０において、同一または同等部分には同一符号を付けて示す。
【実施例１】
【００２５】
図１は、本発明に係る電熱マットにおいて、実施例１の電熱マットを使用した床暖房装置を示し、暖房床板の一部を除いた状態の斜視図である。床暖房装置Ｈは、電気エネルギーを利用して暖房床板を加熱し、部屋を暖房するものである。すなわち、図示されていない床下地材の表面に設置される電熱マット１ａ、１ｂと、この電熱マット１ａ、１ｂと部屋の周囲との間で床下地材などの表面に設けられる周辺パネル１０と、これら電熱マット１ａ、１ｂおよび周辺パネル１０の上に敷設される暖房床板２とを有する。暖房床板２の両端には周辺床板１８が設けられる。
【００２６】
さらに、電熱マット１ａ、１ｂは、暖房床板２の下に密着させて敷設され、暖房床板２を加熱することにより暖房床板上の空間を暖房するものである。また、電熱マット１ａ、１ｂは、暖房床板２が敷設された状態で圧縮され、周辺パネル１０と同じ、たとえば３ｍｍ厚となる。
【００２７】
暖房床板２の厚みは、たとえば９ｍｍのものが選定される。暖房床板２は、小根太１５（後述）に直交する方向に敷設され、その長手方向先端の継目２ｃは小根太１５の上に位置するように敷設される。
【００２８】
さらに、床暖房装置Ｈは、コントローラー４を有し、電熱マット１ａ、１ｂに設けられる端子パネル９ａ、９ｂからケーブル収容溝２４内に敷設される電熱マット側ケーブル２０と、コントローラー４から引き出されるコントローラ側ケーブル５とがコネクター６を介して接続される。コントローラー４には電力を供給する電源コード７が接続される。
【００２９】
電源コード７は、このままコントローラー４に接続されたまま用いられても良いが、電源コード７にプラグ８を取り付けておき、この電源コード７を電熱マット１ａ、１ｂの通電試験用として仮設的に使用し、通電試験が終了したときに、この電源コード７を取り外し、コントローラー４と図示していない分電盤との間を電源配線しても良い。電熱マット１ａ、１ｂの電気的制御は、そのオン・オフ、暖房の強弱、過熱防止、漏電防止、その他暖房予約などである。
【００３０】
図２は、実施例１の電熱マットを示す平面図である。電熱マット１ａ、１ｂは、後述の不織布１１（図３）の面上に設けられる電気ヒーター線（発熱手段）１２を備える。電気ヒーター線１２は、不織布１１上で蛇行状に設けられる。さらに、各不織布１１に設けられ電気ヒーター線１２に電力を供給する端子となる端子パネル９ａ、９ｂとを備える。電熱マット１ａと電熱マット１ｂは、接続金具（回動手段）２１により接続される。接続金具２１は、その回動支軸２２が各端子パネル９ａ、９ｂに回転可能に固定され、端子パネル９ａと端子パネル９ｂは連結される。
【００３１】
さらに、電熱マット１ａ、１ｂは、それぞれ後述の積層体（熱分散手段）１４の表面に設けられる複数の小根太１５を備える。電熱マット１ａに設けられる小根太１５と電熱マット１ｂに設けられる小根太１５とは点対称の関係にある。小根太１５は、電気ヒーター線１２と重ならないように配置される。
【００３２】
図３は、図２におけるＡ−Ａ線断面を示し、暖房床板、下地板とともに示す断面図である。電熱マット１ａは、合板、木質板、木質繊維板（ＭＤＦなど）などの木質系の材料で形成された下地板１７の表面に設けられる。さらに、電熱マット１ａは、弾力性を有するマット状の不織布１１と、この不織布１１の表面に貼着される電気ヒーター線１２とを備える。
【００３３】
また、電気ヒーター線１２に沿って感熱線１３が設けられる。感熱線１３を電気ヒーター線１２に沿わせることにより暖房床板２の温度を制御するとともに過熱を防止する。さらに、電気ヒーター線１２および感熱線１３を含む不織布１１の上には、電気ヒーター線１２で発生した熱を分散させる積層体１４と、この積層体１４の上に配置される小根太１５とを備える。
【００３４】
不織布１１は、弾力性を有するマット状の材料で、不織布、網状シート、紙、孔あきシートなどで形成され、その厚みは数ｍｍ厚で、暖房床板２と下地板１７との間に挟まれ圧縮された状態で、たとえば略３ｍｍ厚となる。
【００３５】
積層体１４は、電気ヒーター線、感熱線を含む不織布１１の略全面に設けられる。積層体の構造は、スパンボンドなどの不織布で形成される二つのシートの間に熱伝導性および可撓性を有するアルミニウム箔（薄板）が挟まれ接着剤で貼着される。二つのシートの間にアルミニウム箔を貼着する接着剤としては、たとえば酢酸ビニル系、酢酸ビニル・アクリル系、エチレン・酢酸ビニル系、アクリル・エチレン系、ウレタン系などである。
【００３６】
小根太１５は、暖房床板２からの圧縮力に十分耐える材料が良く、合板、木質繊維板（ＭＤＦなど）などの木質系や合成樹脂系の材料を使用すると良い。小根太１５の横断面は矩形で細長状または短冊状の板である。小根太１５は、木ねじ（ビス）１６により下地板１７に固定される。先に記したように、不織布１１が弾力性を有しているので小根太１５の下に位置する不織布１１および積層体１４は圧縮され、小根太１５を含めた電熱マット１ａの厚みは略３ｍｍとなる。
【００３７】
下地板１７は、根太２６に支えられる。根太２６同士の間には、たとえばポリスチレンフォームなどの断熱材２７が設けられると良い。こうすることにより床下への放熱量を少なくし暖房効率を向上させる。
【００３８】
電熱マット１ａの上には暖房床板２が敷設される。暖房床板２は、合板、木質繊維板（ＭＤＦなど）、木削片板、単板積層板などの木質系が使用され、その表面は化粧面とされる。暖房床板２の大きさは、たとえば幅３０３ｍｍ×長さ１８１８ｍｍ×厚み９〜１２ｍｍのものが選定される。さらに、暖房床板２は、釘３４を用いて小根太１５を介して下地板１７に固定される。
【００３９】
また、暖房床板２の継目位置には雄実２ａ、雌実２ｂが形成される。なお、図３は、電熱マット１ａについての説明であるが、電熱マット１ｂについても電熱マット１ａと同じ構造であり、かつ小根太１５についても、暖房床板２からの圧縮力に十分耐える材料であるので、その説明を省略する。
【００４０】
図４は、図２における電熱マットにおいて、右側の電熱マットを１８０度回動した状態の平面図である。電熱マット１ａと電熱マット１ｂとは、互いに端子パネル９ａと端子パネル９ｂとが接続金具２１により接続され、接続金具２１に設けられる回動支軸によって回動可能に連結される。右側の電熱マット１ｂを１８０度回動することにより小根太１５が同一方向に向く位置関係の縦長の電熱マット形状とすることができる。
【００４１】
図５は、図２に示す電熱マットを部屋の略中央に敷設した状態の平面図である。図６は、図２に示す電熱マットを部屋の右寄りに敷設した状態の平面図である。本実施例の電熱マット１ａ、１ｂは、部屋の大きさ、形状と、暖房したい場所などに応じて接続金具２１で回動させ適宜の形状に形成させて設置することができる。本発明の電熱マット１ａ、１ｂを使用する床暖房装置は、電熱マット１ａ、１ｂの四周縁と部屋の壁縁との間で下地板１７上に周辺パネルを設ける。
【００４２】
周辺パネルは、電熱マット１ａ、１ｂと略同じ厚さを有するとともに複数に分割された部分パネルから形成される。そして、電熱マット１ａ、１ｂとこれに隣接する部分パネルの間および部分パネル同士の間に隙間Ｔを設ける。隙間Ｔの大きさとしては３ｍｍ程度である。
【００４３】
床暖房装置Ｈは、電熱マット１ａ、１ｂの上に図示していない暖房床板２、周辺パネル１０の上に図示していない周辺床板１８を敷設することにより施工される。暖房床板２、周辺床板１８は、たとえば合板、木質繊維板（ＭＤＦなど）、木削片板、単板積層板などの木質系が使用される。この場合、床板の表面は化粧面とされる。暖房床板２および周辺床板１８の大きさは、たとえば幅３０３ｍｍ×長さ１８１８ｍｍ×厚さ９〜１２ｍｍのものが選定される。
【００４４】
図７は、台所を有する部屋において、本発明の電熱マット１ａ、１ｂを敷設する形態を示す平面図である。本実施例の電熱マット１ａ、１ｂを利用すれば、リビングまたは居間には正方形状に近い形状に形成した電熱マット１ａ、１ｂを、キッチン３５前にはこれに沿うように、縦長状の形状に形成した電熱マット１ａ、１ｂを設けることができる。なお、符号３６は引戸である。
【００４５】
以上の構造を有する実施例１の電熱マット１ａ、１ｂは、次のように作用する。すなわち、図１において、電熱マット１ａ、１ｂの長辺が隣接する状態で端子パネル９ａ、９ｂが接続金具２１により連結され、この状態から接続金具の回動支軸２２を中心に電熱マット１ａ、１ｂを平面内で１８０度回転し、電熱マット１ａ、１ｂの各々の短辺が隣接する状態、あるいは平面内で９０度回転し、電熱マット１ａ、１ｂの長辺の延長線が直交する状態など、施工する場所に応じて複数種類の敷設形態が可能となる。
【００４６】
さらに、小根太は積層体１４の上に設けられるので暖房床板２を張る際に確認することができ、暖房床板２を釘や木ねじなどで固定する際に固定する位置が明確に分かり、かつ釘や木ねじで電気ヒーター線や感熱線を損傷させることもない。さらに、暖房床板２の継目は小根太１５の上に位置するように張られるので、暖房床板２の継目部分が撓んだり、跳ね上がるなどの変形をすることがなく、不陸のない床面を与えることができる。
【００４７】
さらに、電気ヒーター線１２が蛇行状に設けられるので、電気ヒーター線１２の発生熱は蛇行状に発生する。積層体１４は電気ヒーター線１２に密着し、かつ積層体１４は熱伝導性に優れるので、電気ヒーター線１２で発生した熱は面状に広がり暖房床板２に均一に効率的に伝熱される。
【００４８】
なお、実施例１の電熱マットにおいて、その表と裏とを裏返して使用することもできる。図３において、表と裏とを裏返すと、小根太１５が下側（下地板１７側）になるので、表面からは小根太１５が見えない。そこで、基材１１の表面に小根太１５の位置を示す印、または釘やビスを設ける位置を示す印を印刷などにより設けておくと良い。こうすることにより釘やビスが電気ヒーター線や感熱線に損傷を与えることがない。
【００４９】
また、電熱マット１ａ、１ｂの小根太を格子状に設けても良い。小根太を格子状に設けることにより、暖房床板２の張る方向の自由度が一層広がる。
【実施例２】
【００５０】
図８は、実施例２の電熱マットを示す平面図である。実施例１の電熱マットと同様に、実施例２の電熱マット１ａと電熱マット１ｂは、互いに端子パネル９ａと端子パネル９ｂとが接続金具（回動手段）２１により接続される。接続金具２１は、その回動支軸２２が各端子パネル９ａ、９ｂに対して回動可能に固定され、電熱マット１ａと電熱マット１ｂとは、接続金具２１に設けられる回動支軸２２によって回動可能に連結される。
【００５１】
さらに、電熱マット１ａは、積層体１４の表面に設けられる複数の小根太１５を備える。電熱マット１ｂは、積層体１４の表面に設けられる複数の小根太１５に加え、小根太２３を備える。ここで、電熱マット１ａに設けられる小根太１５と電熱マット１ｂに設けられる小根太１５とは点対称の関係にある。小根太１５は、電気ヒーター線１２と重ならないように配置される。
【００５２】
さらに、電熱マット１ｂに設けられる小根太１５と小根太２３とは互いに直交し、格子状に設けられる。実施例２の電熱マットは、図８に示す状態で図示していない暖房床板（符号２）を張る場合には、小根太１５に直交する方向に暖房床板２を張り、暖房床板２の長手方向先端を小根太１５の上に位置させる。
【００５３】
図９は、図８に示す電熱マットにおいて、右側の電熱マット１ｂを９０度回動した状態の平面図である。電熱マット１ｂの小根太１５と小根太２３とは格子状に形成されるので、電熱マット１ｂを９０度回動しても電熱マット１ａの小根太１５と電熱マット１ｂの小根太２３とを平行に配置させることができる。暖房床板２を小根太１５、２３に直交する方向に張り、暖房床板２の長手方向先端を小根太１５、２３の上に位置させることができるので、暖房床板２の継目に反りや不陸が発生することがほとんどない。
【００５４】
さらに、実施例２の電熱マットにおいても表と裏とを裏返して使用することができる。電熱マット１ｂの小根太１５と小根太２３とが格子状に形成されるので、電熱マット１ａ、１ｂを裏返して使用しても電熱マット１ａの小根太１５と電熱マット１ｂの小根太２３とは同一方向で平行になり、暖房床板２と直交する方向に設けることができ暖房床板を敷設できる。なお、図８、９において、電熱マット１ａの小根太も格子状に設けても良い。図８、９におけるその他の構造と作用は、図１〜７に示した実施例１の電熱マットと同じであるのでその説明を省略する。
【００５５】
図１０は、本発明に係る電熱マットにおいて、接続金具の形状の例を示す平面図である。図１０（ａ）は、端子パネル９ａ、９ｂの形状が矩形状、図１０（ｂ）は、端子パネル９ａ、９ｂの形状が円弧状、図１０（ｃ）は、端子パネル９ａ、９ｂの形状が三角形状としており、端子パネルの意匠上の工夫を凝らすことができる。
【００５６】
以上この発明を図示の実施例について詳しく説明したが、それを以ってこの発明をそれらの実施例のみに限定するものではなく、この発明の精神を逸脱せずして種々改変を加えて多種多様の変形をなし得ることは云うまでもない。
【産業上の利用可能性】
【００５７】
本発明の電熱マットは、集合住宅や個別住宅の部屋の暖房あるいは事務所、理髪店、美容院などの業務用室の暖房として利用可能である。
【図面の簡単な説明】
【００５８】
【図１】本発明に係る電熱マットにおいて、実施例１の電熱マットを使用した床暖房装置を示し、暖房床板の一部を除いた状態の斜視図である。
【図２】実施例１の電熱マットを示す平面図である。
【図３】図２におけるＡ−Ａ線断面を示し、暖房床板、下地板とともに示す断面図である。
【図４】図２における電熱マットにおいて、右側の電熱マットを１８０度回動した状態の平面図である。
【図５】図２に示す電熱マットを部屋の略中央に敷設した状態の平面図である。
【図６】図２に示す電熱マットを部屋の右寄りに敷設した状態の平面図である。
【図７】台所を有する部屋において、本発明の電熱マットを敷設する形態を示す平面図である。
【図８】実施例２の電熱マットを示す平面図である。
【図９】図８に示す電熱マットにおいて、右側の電熱マットを９０度回動した状態の平面図である。
【図１０】本発明に係る電熱マットにおいて、接続金具の形状の例を示す平面図である。
【符号の説明】
【００５９】
１ａ、１ｂ  電熱マット
２  暖房床板
９ａ、９ｂ  端子パネル
１１  不織布（基材）
１２  電気ヒーター線（発熱手段）
１４  積層体（熱分散手段）
１５、２３  小根太
２１  接続金具（回動手段）
２２  回動支軸
【図１】
2005300104.tif 000003
【図２】
2005300104.tif 000004
【図３】
2005300104.tif 000005
【図４】
2005300104.tif 000006
【図５】
2005300104.tif 000007
【図６】
2005300104.tif 000008
【図７】
2005300104.tif 000009
【図８】
2005300104.tif 000010
【図９】
2005300104.tif 000011
【図１０】
2005300104.tif 000012